(57)【要約】【課題】利用者の要求に対応してその利用者がいるエリアへの風量を調整することができる空気調和機を得る。【解決手段】風量信号を発信する携帯型発信機２と、風量信号を受信し、携帯型発信機２の位置を特定し、風量信号に基づいて携帯型発信機２が配置されているエリアへの風量を調整する室内機１とを備え、携帯型発信機２は、携帯型発信機２が配置されているエリアへの風量を調整するための操作部を有し、操作部の操作に基づいて風量信号を発信する。【選択図】図１
2017211149.tif 000002
【特許請求の範囲】
【請求項１】
風量信号を発信する携帯型発信機と、
前記風量信号を受信し、前記携帯型発信機の位置を特定し、前記風量信号に基づいて前記携帯型発信機が配置されているエリアへの風量を調整する室内機と
を備えている空気調和機。
【請求項２】
前記携帯型発信機は、前記携帯型発信機が配置されている前記エリアへの風量を調整するための操作部を有し、前記操作部の操作に基づいて前記風量信号を発信する請求項１に記載の空気調和機。
【発明の詳細な説明】
【技術分野】
【０００１】
この発明は、室内に送風する空気調和機に関する。
【背景技術】
【０００２】
従来、風向を変更する風向変更板と、赤外線センサと、赤外線センサの検出結果に基づいて生活エリアを推定する生活エリア推定部と、生活エリア推定部の推定結果に基づいて空調対象エリアを設定する空調対象エリア設定部と、空調対象エリア設定部により設定された空調対象エリアにおける床温度の温度むらを算出する温度むら検知部とを備え、床温度の温度むらが解消されるように、風向変更板の回動を制御する空気調和機が知られている（例えば、特許文献１参照）。
【先行技術文献】
【特許文献】
【０００３】
【特許文献１】特開２００９−９２２５２号公報
【発明の概要】
【発明が解決しようとする課題】
【０００４】
しかしながら、床温度の温度むらを解消するように風向変更板の回動を制御するので、例えば、風を当てられたくない利用者がいる場合に、利用者の要求に対応してその利用者がいるエリアへの風量を調整することができないという問題点があった。
【０００５】
この発明は、利用者の要求に対応してその利用者がいるエリアへの風量を調整することができる空気調和機を提供するものである。
【課題を解決するための手段】
【０００６】
この発明に係る空気調和機は、風量信号を発信する携帯型発信機と、風量信号を受信し、携帯型発信機の位置を特定し、風量信号に基づいて携帯型発信機が配置されているエリアへの風量を調整する室内機とを備えている。
【発明の効果】
【０００７】
この発明に係る空気調和機によれば、風量信号を発信する携帯型発信機と、風量信号を受信し、携帯型発信機の位置を特定し、風量信号に基づいて携帯型発信機が配置されているエリアへの風量を調整する室内機とを備えているので、利用者がいるエリアに携帯型発信機を配置することによって、利用者の要求に対応してその利用者がいるエリアへの風量を調整することができる。
【図面の簡単な説明】
【０００８】
【図１】この発明の実施の形態１に係る空気調和機を示す構成図である。
【図２】図１の空気調和機を示すブロック図である。
【図３】図１の携帯型発信機が配置されている室内を示す平面図である。
【発明を実施するための形態】
【０００９】
実施の形態１．
図１はこの発明の実施の形態１に係る空気調和機を示す構成図である。図において、空気調和機は、室内に送風する室内機１と、室内機１に対して無線によって信号を送る携帯型発信機２とを備えている。この例では、２つの携帯型発信機２が室内に配置されている。なお、携帯型発信機２の数は、２個に限らず、例えば、１個、または３個以上であってもよい。また、この例では、２つの携帯型発信機の中の一方を携帯型発信機２Ａとし、他方を携帯型発信機２Ｂとする。室内における携帯型発信機２の配置位置は、利用者によって変更可能となっている。
【００１０】
図２は図１の空気調和機を示すブロック図である。室内機１は、回動することによって室内へ送られる風の方向を変更する風向変更板１１と、風向変更板１１を回動させる駆動部１２と、駆動部１２の駆動を制御する風向制御部１３とを有している。風向制御部１３は、携帯型発信機２Ａおよび携帯型発信機２Ｂのそれぞれから信号を受信する。
【００１１】
携帯型発信機２Ａは、携帯型発信機２Ａが配置されているエリアＡへの風量を調整するための図示しない操作部を有している。携帯型発信機２Ａは、操作部の操作に基づいて信号を発信する。
【００１２】
携帯型発信機２Ｂは、携帯型発信機２Ｂが配置されているエリアＢへの風量を調整するための図示しない操作部を有している。携帯型発信機２Ｂは、操作部の操作に基づいて信号を発信する。
【００１３】
携帯型発信機２Ａおよび携帯型発信機２Ｂのそれぞれから送られる信号には、要求される風量を示す風量信号が含まれている。なお、それぞれの携帯型発信機２から送られる信号には、風量信号に限らず、さらに、要求される空気の温度を示す温度信号などが含まれてもよい。
【００１４】
図３は図１の携帯型発信機２が配置されている室内を示す平面図である。風向制御部１３は、携帯型発信機２Ａから信号を受信する場合に、携帯型発信機２Ａが配置されている位置を特定する。携帯型発信機２Ａが配置されている位置を特定する方法は、例えば、赤外線センサを用いる方法などが挙げられる。また、風向制御部１３は、携帯型発信機２Ａの位置を中心として予め設定された範囲を、携帯型発信機２Ａが配置されているエリアＡとして設定する。この例では、風向制御部１３は、携帯型発信機２Ａが配置されているエリアＡとして、携帯型発信機２Ａの位置を中心として半径Ｒの範囲を設定する。
【００１５】
また、風向制御部１３は、携帯型発信機２Ｂから信号を受信する場合に、携帯型発信機２Ｂが配置されている位置を特定する。携帯型発信機２Ｂが配置されている位置を特定する方法は、携帯型発信機２Ａが配置されている位置を特定する方法と同様である。また、風向制御部１３は、携帯型発信機２Ｂの位置を中心として予め設定された範囲を、携帯型発信機２Ｂが配置されているエリアＢとして設定する。この例では、風向制御部１３は、携帯型発信機２Ｂが配置されているエリアＢとして、携帯型発信機２Ｂの位置を中心として半径Ｒの範囲を設定する。なお、エリアＡの範囲とエリアＢの範囲とは、互いに異なるように設定されてもよい。
【００１６】
また、風向制御部１３は、携帯型発信機２Ａから信号を受信する場合に、受信した信号に基づいて、設定されたエリアＡへの風量を調整する。具体的には、例えば、受信した信号に、そのエリアＡに送風しない情報が含まれている場合に、そのエリアＡに送風しないように駆動部１２の駆動を制御する。その結果、そのエリアＡに送風しないように風向変更板１１が回動する。また、例えば、受信した信号に、そのエリアＡに多く送風する情報が含まれている場合に、そのエリアＡに多く送風されるように駆動部１２の駆動を制御する。その結果、そのエリアＡに多く送風されるように風向変更板１１が回動する。
【００１７】
また、風向制御部１３は、携帯型発信機２Ｂから信号を受信する場合に、受信した信号に基づいて、設定されたエリアＢへの風量を調整する。具体的には、例えば、受信した信号に、そのエリアＢに送風しない情報が含まれている場合に、そのエリアＢに送風しないように駆動部１２の駆動を制御する。その結果、そのエリアＢに送風しないように風向変更板１１が回動する。また、例えば、受信した信号に、そのエリアＢに多く送風する情報が含まれている場合に、そのエリアＢに多く送風されるように駆動部１２の駆動を制御する。その結果、そのエリアＢに多く送風されるように風向変更板１１が回動する。
【００１８】
以上説明したように、この発明の実施の形態１に係る空気調和機によれば、風量信号を発信する携帯型発信機２と、風量信号を受信し、携帯型発信機２の位置を特定し、風量信号に基づいて携帯型発信機２が配置されているエリアへの風量を調整する室内機１とを備えているので、利用者がいるエリアに携帯型発信機２を配置することによって、利用者の要求に対応してその利用者がいるエリアへの風量を調整することができる。
【００１９】
また、携帯型発信機２は、携帯型発信機２が配置されているエリアへの風量を調整するための操作部を有し、操作部の操作に基づいて風量信号を発信するので、利用者が操作部を操作することによって、利用者の要求に応じてエリアへの風量をより細かく調整することができる。
【００２０】
なお、上記実施の形態１では、利用者が室内に携帯型発信機２を配置する構成について説明したが、利用者に携帯型発信機２が所持される構成であってもよい。
【符号の説明】
【００２１】
１  室内機、２、２Ａ、２Ｂ  携帯型発信機、１１  風向変更板、１２  駆動部、１３  風向制御部。
【図１】
2017211149.tif 000003
【図２】
2017211149.tif 000004
【図３】
2017211149.tif 000005